(57)【要約】【課題】ディスプレイ装置の左右の傾きを変更可能に支持する装置であって、少ない部品点数で構成することが可能なディスプレイ支持装置を提供する。【解決手段】ディスプレイ支持装置１は、調整用孔３２および計四つの固定用孔３１ａ・３１ｂ・３１ｃ・３１ｄが形成されたディスプレイ固定部材１３と、調整用孔３２に挿通されるとともにディスプレイ装置２に螺装されることによりディスプレイ固定部材１３に対するディスプレイ装置２の左右の傾きを調整する調整用螺子１４と、を具備し、調整用螺子１４は、ディスプレイ装置２に螺装されるための雄ネジが形成された軸部５１と、軸部５１に対して偏心した状態で軸部５１に延設され、調整用孔３２の端面に当接するカム面を有するカム部５２と、カム部５２に延設され、前記調整用螺子１４に回転力を付与するための頭部５３とを備える。【選択図】図１
2010243847.tif 000002
【特許請求の範囲】
【請求項１】
調整用孔および複数の固定用孔が形成されたディスプレイ固定部材と、
前記調整用孔に挿通されるとともにディスプレイ装置に螺装されることにより前記ディスプレイ固定部材に対する前記ディスプレイ装置の左右の傾きを調整する調整用螺子と、
を具備し、
複数の固定用螺子を前記複数の固定用孔にそれぞれ挿通するとともにディスプレイ装置に螺装することにより、前記ディスプレイ装置を前記ディスプレイ固定部材に固定した状態で支持するディスプレイ支持装置であって、
前記調整用螺子は、
前記ディスプレイ装置に螺装されるための雄ネジが形成された軸部と、
前記軸部に対して偏心した状態で前記軸部に延設され、前記調整用孔の端面に当接するカム面を有するカム部と、
前記カム部に延設され、前記調整用螺子に回転力を付与するための頭部と、
を備える、
ディスプレイ支持装置。
【請求項２】
前記調整用孔は、ディスプレイ固定部材の左右中央部から左方または右方にずれた位置に形成される、
請求項１に記載のディスプレイ支持装置。
【請求項３】
前記複数の固定用孔のうちディスプレイ固定部材の左右方向において前記調整用孔が配置される側に配置される固定用孔は、上下方向に伸びた長孔であり、
前記調整用螺子の軸部の軸線方向から見た前記カム部の形状は、前記軸部に対して偏心した円形であり、
前記調整用孔は、上下方向の幅が前記調整用螺子の軸部の軸線方向から見た前記カム部の直径と略同じであり、かつ左右方向の幅が前記調整用螺子の軸部の軸線方向から見た前記カム部の直径よりも大きい長孔である、
請求項２に記載のディスプレイ支持装置。
【請求項４】
調整用孔および複数の固定用孔が形成されたディスプレイ固定部材と、
前記調整用孔に螺装されるとともに前記ディスプレイ装置に形成されたディスプレイ装置側調整用孔に回転可能に嵌装されることにより前記ディスプレイ固定部材に対する前記ディスプレイ装置の左右の傾きを調整する調整用螺子と、
を具備し、
複数の固定用螺子を前記複数の固定用孔にそれぞれ挿通するとともにディスプレイ装置に螺装することにより、前記ディスプレイ装置を前記ディスプレイ固定部材に固定した状態で支持するディスプレイ支持装置であって、
前記調整用螺子は、
前記ディスプレイ装置に回転可能に嵌装されるカム軸部と、
前記カム軸部に対して偏心した状態で前記カム軸部に延設され、前記調整用孔に螺合する螺合部と、
前記螺合部に延設され、前記調整用螺子に回転力を付与するための頭部と、
を備える、
ディスプレイ支持装置。
【請求項５】
前記調整用孔は、ディスプレイ固定部材の左右中央部から左方または右方にずれた位置に形成される、
請求項４に記載のディスプレイ支持装置。
【請求項６】
前記複数の固定用孔のうちディスプレイ固定部材の左右方向において前記調整用孔が配置される側に配置される固定用孔は、上下方向に伸びた長孔であり、
前記調整用螺子の螺合部の軸線方向から見た前記カム軸部の形状は、前記螺合部に対して偏心した円形であり、
前記ディスプレイ装置に形成されたディスプレイ装置側調整用孔は、上下方向の幅が前記調整用螺子の螺合部の軸線方向から見た前記カム軸部の直径と略同じであり、かつ左右方向の幅が前記調整用螺子の螺合部の軸線方向から見た前記カム軸部の直径よりも大きい長孔である、
請求項５に記載のディスプレイ支持装置。
【発明の詳細な説明】
【技術分野】
【０００１】
本発明は、ディスプレイ装置を支持するためのディスプレイ支持装置であって、ディスプレイ装置の左右の傾きを調整することができるディスプレイ支持装置の技術に関する。
【背景技術】
【０００２】
従来、テレビジョンやパーソナルコンピュータ等のディスプレイ装置を姿勢変更可能に支持する装置は公知となっている。そして、このようなディスプレイ装置を支持する装置において、ディスプレイ装置の左右の傾きの調整を行うことができるディスプレイ支持装置の技術は、例えば特許文献１により開示されている。
【０００３】
特許文献１に記載のディスプレイ支持装置（テレビスタンド）は、床や机等に載置されるベース部材（台部）と、このベース部材に取り付けられる柱部材（ベースブラケット）と、この柱部材に対して前後方向へ回動可能に設けられるディスプレイ装置の取付プレート等から構成される。
また、前記ディスプレイ支持装置は、取付プレートの両側部にそれぞれ螺合して先端部が前記取付プレートから突出し、この先端部が前記傾動プレートに当接する二つの調整螺子部材を備え、これらの調整螺子部材の取付プレートから突出する長さを調整することによって前記傾動プレートに対して取付プレートが水平方向に回動して柱部材に対する取付プレートの水平方向における位置を調整するように構成している。
このディスプレイ支持装置の技術においては、ディスプレイ装置の左右の傾きの調整が行える。
【先行技術文献】
【特許文献】
【０００４】
【特許文献１】特開２００８−１３６１６０号公報
【発明の概要】
【発明が解決しようとする課題】
【０００５】
しかし、前記ディスプレイ支持装置は、少なくとも取付プレートと傾動プレートと調整螺子部材が必要となるため、部品点数が多くなっており、生産コストが増大し、作業工程が増加していた。
【０００６】
そこで、本発明は係る課題に鑑み、ディスプレイ装置の左右の傾きを変更可能に支持する装置であって、少ない部品点数で構成することが可能なディスプレイ支持装置を提供する。
【課題を解決するための手段】
【０００７】
本発明の解決しようとする課題は以上の如くであり、次にこの課題を解決するための手段を説明する。
【０００８】
即ち、請求項１においては、調整用孔および複数の固定用孔が形成されたディスプレイ固定部材と、前記調整用孔に挿通されるとともにディスプレイ装置に螺装されることにより前記ディスプレイ固定部材に対する前記ディスプレイ装置の左右の傾きを調整する調整用螺子と、を具備し、複数の固定用螺子を前記複数の固定用孔にそれぞれ挿通するとともにディスプレイ装置に螺装することにより、前記ディスプレイ装置を前記ディスプレイ固定部材に固定した状態で支持するディスプレイ支持装置であって、前記調整用螺子は、前記ディスプレイ装置に螺装されるための雄ネジが形成された軸部と、前記軸部に対して偏心した状態で前記軸部に延設され、前記調整用孔の端面に当接するカム面を有するカム部と、前記カム部に延設され、前記調整用螺子に回転力を付与するための頭部と、を備えるものである。
【０００９】
請求項２においては、前記調整用孔は、ディスプレイ固定部材の左右中央部から左方または右方にずれた位置に形成されるものである。
【００１０】
請求項３においては、前記複数の固定用孔のうちディスプレイ固定部材の左右方向において前記調整用孔が配置される側に配置される固定用孔は、上下方向に伸びた長孔であり、前記調整用螺子の軸部の軸線方向から見た前記カム部の形状は、前記軸部に対して偏心した円形であり、前記調整用孔は、上下方向の幅が前記調整用螺子の軸部の軸線方向から見た前記カム部の直径と略同じであり、かつ左右方向の幅が前記調整用螺子の軸部の軸線方向から見た前記カム部の直径よりも大きい長孔であるものである。
【００１１】
請求項４においては、調整用孔および複数の固定用孔が形成されたディスプレイ固定部材と、前記調整用孔に螺装されるとともに前記ディスプレイ装置に形成されたディスプレイ装置側調整用孔に回転可能に嵌装されることにより前記ディスプレイ固定部材に対する前記ディスプレイ装置の左右の傾きを調整する調整用螺子と、を具備し、複数の固定用螺子を前記複数の固定用孔にそれぞれ挿通するとともにディスプレイ装置に螺装することにより、前記ディスプレイ装置を前記ディスプレイ固定部材に固定した状態で支持するディスプレイ支持装置であって、前記調整用螺子は、前記ディスプレイ装置に回転可能に嵌装されるカム軸部と、前記カム軸部に対して偏心した状態で前記カム軸部に延設され、前記調整用孔に螺合する螺合部と、前記螺合部に延設され、前記調整用螺子に回転力を付与するための頭部と、を備えるものである。
【００１２】
請求項５においては、前記調整用孔は、ディスプレイ固定部材の左右中央部から左方または右方にずれた位置に形成されるものである。
【００１３】
請求項６においては、前記複数の固定用孔のうちディスプレイ固定部材の左右方向において前記調整用孔が配置される側に配置される固定用孔は、上下方向に伸びた長孔であり、前記調整用螺子の螺合部の軸線方向から見た前記カム軸部の形状は、前記螺合部に対して偏心した円形であり、前記ディスプレイ装置に形成されたディスプレイ装置側調整用孔は、上下方向の幅が前記調整用螺子の螺合部の軸線方向から見た前記カム軸部の直径と略同じであり、かつ左右方向の幅が前記調整用螺子の螺合部の軸線方向から見た前記カム軸部の直径よりも大きい長孔であるものである。
【発明の効果】
【００１４】
本発明は、少ない部品点数、言い換えればディスプレイ固定部材及び調整用螺子のみにより、ディスプレイ装置の左右の傾きの調整が行える。
【図面の簡単な説明】
【００１５】
【図１】本発明に係るディスプレイ支持装置の第一実施形態の全体的な構成を示す正面図。
【図２】同じく右側面図。
【図３】同じく背面図。
【図４】ディスプレイ固定部材の正面図。
【図５】第一実施形態に係る調整用螺子の斜視図。
【図６】第一実施形態に係るディスプレイ装置及びディスプレイ固定部材の背面図。
【図７】第一実施形態に係るディスプレイ固定部材の図６におけるＡ−Ａ線一部断面図。
【図８】第一実施形態に係るディスプレイ装置及びディスプレイ固定部材の背面図。
【図９】第二実施形態に係る調整用螺子の斜視図。
【図１０】第二実施形態に係るディスプレイ装置及びディスプレイ固定部材の背面図。
【図１１】第二実施形態に係るディスプレイ固定部材の図１０におけるＢ−Ｂ線一部断面図。
【図１２】第二実施形態に係るディスプレイ固定部材の図１０におけるＤ−Ｄ線一部断面図。
【発明を実施するための形態】
【００１６】
＜第一実施形態＞
以下では、本発明に係るディスプレイ支持装置の第一実施形態であるディスプレイ支持装置１の全体構成について図１から図４を用いて説明する。
なお、本実施形態においては図１の紙面手前方向を前方向、紙面奥方向を後方向と定義し、紙面上方を上方向、紙面下方を下方向と定義する。また、前方向を向いた状態での右方（紙面向かって左方）を右方向と定義し、前方向を向いた状態での左方（紙面向かって右方）を左方向と定義する。
【００１７】
ディスプレイ支持装置１は、図１から図４に示すように、ベース部材１１と、ベース部材１１に固定される柱部材１２と、柱部材１２に固定され、計四つの固定用孔３１ａ・３１ｂ・３１ｃ・３１ｄ及び調整用孔３２が形成されたディスプレイ固定部材１３と、調整用孔３２に挿通されるとともにディスプレイ装置２に螺装されることによりディスプレイ固定部材１３に対するディスプレイ装置２の左右の傾きを調整する調整用螺子１４と、を具備する。
【００１８】
ベース部材１１は金属板に絞り成形を施すことによりやや上方に盛り上がった形状の部材であり、ディスプレイ支持装置１の転倒を防止するための部材である。ベース部材１１は例えば床面、家具の上面等に載置される。ベース部材１１には、柱部材１２を挿入するための柱部材挿入孔１１ａが左右方向中央部であって前後方向中央部より後方となる位置に形成されている。
ベース部材１１の内部には図示せぬ回動支持部材が設けられており、前記回動支持部材は柱部材１２をベース部材１１に対して水平方向回動自在に支持する。
本実施形態のベース部材１１は絞り成形が施された金属板からなるが、樹脂材料等により射出成形しても良い。
【００１９】
柱部材１２は、中空の四角柱状部材であり、図１から図３に示すようにベース部材１１の柱部材挿入孔１１ａからベース部材１１へ挿入される。また、柱部材１２の下端には、図示せぬフランジが前後方向及び両側方に設けられている。
また、それぞれのフランジとベース部材１１内部の前記回動支持部材とを螺子等の連結部材で連結することにより、柱部材１２はベース部材１１に対して水平方向回動可能に支持される。
【００２０】
ディスプレイ固定部材１３は、柱部材１２の前面上端部に設けられた長方形状の板状部材である。
図１及び図２に示すように、ディスプレイ固定部材１３は左右方向に長い長方形状の金属板であり、柱部材１２の前面上部に溶接により固定される。ディスプレイ固定部材１３の左右端部はそれぞれ柱部材１２の左右側方に突出している。
また、ディスプレイ固定部材１３の左右方向中心線は柱部材１２の左右方向中心線と一致する。
【００２１】
ディスプレイ固定部材１３には、図１及び図４に示すように、複数の固定用螺子１５を挿通するための固定用孔３１ａ・３１ｂ・３１ｃ・３１ｄと、ディスプレイ固定部材１３に対するディスプレイ装置２の左右の傾きを調整するための調整用螺子１４を挿通するための調整用孔３２と、が設けられている。
【００２２】
次に、固定用孔３１ａ・３１ｂ・３１ｃ・３１ｄについて図４、図６及び図７を用いて説明する。
図４に示すように、固定用孔３１ａはディスプレイ固定部材１３の左上部に設けられている。固定用孔３１ｂはディスプレイ固定部材１３の左下部に設けられている。固定用孔３１ｃはディスプレイ固定部材１３の右上部に設けられている。固定用孔３１ｂはディスプレイ固定部材１３の右下部に設けられている。
一方、ディスプレイ装置２の背面には、図７に示すように、固定用孔３１に対応する位置に計四つのディスプレイ装置側固定用孔４１・４１・４１・４１（図７では右上のディスプレイ装置側固定用孔４１および右下のディスプレイ装置側固定用孔４１は不図示）が設けられている。
このように構成することで、ディスプレイ支持装置１は、固定用螺子１５・１５・１５・１５を固定用孔３１ａ・３１ｂ・３１ｃ・３１ｄにそれぞれ挿通するとともにディスプレイ装置２のディスプレイ装置側固定用孔４１・４１・４１・４１に螺装することにより、ディスプレイ装置２をディスプレイ固定部材１３に固定した状態で支持する。
また、固定用孔３１ａ・３１ｂ・３１ｃ・３１ｄは固定用螺子１５・１５・１５・１５のある程度の移動を許容する大きさおよび形状に形成されており、固定用螺子１５・１５・１５・１５を仮止めしている場合にはディスプレイ装置２とディスプレイ固定部材１３との相対位置を変化させることができるように形成している。ここで、仮止めとは、固定用螺子１５・１５・１５・１５を強く締めつけていないためディスプレイ装置２がディスプレイ固定部材１３に対して角度変更不能な程度には固定されていないが、ディスプレイ装置２がディスプレイ固定部材１３から脱落しない程度に固定用螺子１５・１５・１５・１５がディスプレイ装置２に螺装されている状態を指す。
【００２３】
具体的には、図４及び図６に示すように、固定用孔３１ａ・３１ｂ・３１ｃ・３１ｄのうち、ディスプレイ固定部材１３の左右方向において調整用孔３２が配置される側（本実施形態では、左側）に設けられる孔である固定用孔３１ａ・３１ｂは、左右方向の幅が固定用螺子１５の直径と略同じ長さであり、かつ上下方向の幅が固定用螺子１５の直径よりも大きい長孔として形成される。
また、固定用孔３１ａ・３１ｂ・３１ｃ・３１ｄのうちディスプレイ固定部材１３の左右方向において調整用孔３２が配置されない側（本実施形態では、右側）に設けられる孔である固定用孔３１ｃ・３１ｄは、左右方向の幅が固定用螺子１５の直径と略同じ長さであり、かつ、上下方向の幅が固定用孔３１ａ・３１ｂの上下方向の幅より短い長孔として形成される。
【００２４】
次に、調整用孔３２について図４、図６及び図７を用いて説明する。
調整用孔３２はディスプレイ固定部材１３の左右中央部から左方にずれた位置に設けられている。
また、調整用孔３２は、上下方向の幅が調整用螺子１４の軸部５１の軸線方向から見たカム部５２の直径と略同じ長さであり、かつ左右方向の幅が調整用螺子１４の軸部５１の軸線方向から見たカム部５２の直径よりも大きい長孔として形成している。
【００２５】
本実施形態の調整用孔３２はディスプレイ固定部材１３の左右中央部から左方にずれた位置に設けられるが、本発明に係る調整用孔３２をディスプレイ固定部材１３の左右中央部に設けても良く、あるいはディスプレイ固定部材１３の左右中央部よりも右方にずれた位置に設けても良い。
ただし、ディスプレイ固定部材１３の左右方向の角度を微調整可能とする観点からは、調整用孔３２をディスプレイ固定部材１３の左右中央部に設けるよりもディスプレイ固定部材１３の左右中央部から左方または右方にずれた位置に設けることが望ましい。
【００２６】
次に調整用螺子１４について図５、図６及び図７を用いて説明する。
調整用螺子１４は、図５に示すように、軸部５１、カム部５２および頭部５３を備える。
軸部５１は略円柱形状の部材である。軸部５１の外周面には雄ネジが形成されており、ディスプレイ装置２に形成されたディスプレイ装置側調整用孔４２に螺装される。
カム部５２は軸部５１に対して偏心した状態で軸部５１に延設される部材である。カム部５２は概ね薄い円柱形状の部材であり、軸部５１の軸線方向から見た場合に軸部５１の直径よりも大きい直径を有する円形に形成されている。カム部５２は外周面を有し、当該外周面は調整用孔３２の端面に当接するカム面を成す。
頭部５３は調整用螺子１４に回転力を付与するための部材であり、カム部５２に延設される。頭部５３の頂面には、ドライバ等の工具を係合可能に挿入するためのネジ溝５３ａが形成されている。作業者がドライバ等の工具をネジ溝５３ａに挿入し、当該工具を回転させることにより、調整用螺子１４に回転力が付与されることとなる。
【００２７】
次に、調整用螺子１４及び調整用孔３２を使用するディスプレイ装置２の左右の傾きの調整方法について図４から図７を用いて説明する。
まず、固定用螺子１５・１５・１５・１５を固定用孔３１ａ・３１ｂ・３１ｃ・３１ｄへ挿入しディスプレイ装置２のディスプレイ装置側固定用孔４１・４１・４１・４１に一定深さまで螺装することにより仮止めを行う。
そして、調整用螺子１４を、調整用孔３２に挿入し、ディスプレイ装置２に設けたディスプレイ装置側調整用孔４２に螺装する。調整用螺子１４のカム部５２は調整用孔３２に回転（回動）可能に嵌装されており、調整用孔３２の上面（上側の端面）及び下面（下側の端面）が調整用螺子１４のカム部５２の外周面（カム面）と当接している。このような状態で、頭部５３に回転力が与えられることにより、軸部５１はディスプレイ装置側調整用孔４２へ螺合されるが、カム部５２が軸部５１に対して偏心させて設けられているため、カム部５２に対する軸部５１の位置が相対的に変化する。その結果、ディスプレイ装置２は、ディスプレイ装置２に螺装された固定用螺子１５・１５・１５・１５が固定用孔３１ａ・３１ｂ・３１ｃ・３１ｄに係合しつつ固定用孔３１ａ・３１ｂ・３１ｃ・３１ｄの長手方向に沿って移動することにより、ディスプレイ固定部材１３に対して回転中心Ｃ１（図６参照）を中心として左右方向に回動する（右上がりまたは左上がりに傾斜する）。
図６に示すように、本実施例においては、回転中心Ｃ１を中心に、調整用螺子１４の軸部５１が最も上に位置する状態から、最も下に位置する状態までの角度θ１が、ディスプレイ固定部材１３に対するディスプレイ装置２の相対的な変化量となる。
【００２８】
ディスプレイ固定部材１３に対するディスプレイ装置２の相対的な変化量が角度θ１となることから、固定用孔３１ａ・３１ｂ・３１ｃ・３１ｄは、上下方向の幅が少なくとも角度θ１の変化を許容できる幅以上に形成されている。言い換えれば、固定用孔３１ａ・３１ｂ・３１ｃ・３１ｄは、ディスプレイ装置２に螺装された固定用螺子１５・１５・１５・１５が固定用孔３１ａ・３１ｂ・３１ｃ・３１ｄの端面に干渉することによりディスプレイ装置２がディスプレイ固定部材１３に対して左右方向に角度θ１だけ回転することが妨げられない程度の幅を有する。
【００２９】
本実施形態ではディスプレイ固定部材１３の左右方向において調整用孔３２が配置される側の反対側（右側）に回転中心Ｃ１が設定されるので、ディスプレイ固定部材１３に対してディスプレイ装置２が回転したときにディスプレイ装置２に螺装された固定用螺子１５・１５・１５・１５が描く軌跡（回転中心Ｃ１を中心とする円弧状の軌跡）は、固定用孔３１ａ・３１ｂに挿入されているものの方が固定用孔３１ｃ・３１ｄに挿入されているものよりも長い。
従って、本実施形態では、固定用孔３１ａ・３１ｂの上下方向の幅は固定用孔３１ｃ・３１ｄの上下方向の幅よりも大きくなるように設定される。
【００３０】
また、ディスプレイ装置２に螺装された調整用螺子１４を回転させることによりカム部５２がディスプレイ装置２に対して最も高い位置から低い位置まで移動する過程では、カム部５２は調整用螺子１４の軸部５１に対して左右どちらかに突出した状態となるが、本実施形態では調整用孔３２が左右方向に延びた長孔である。より厳密には、調整用孔３２の左右方向の幅が調整用螺子１４の軸部５１の軸線方向から見たカム部５２の直径よりも大きい長孔である。
そのため、カム部５２の移動に伴ってディスプレイ装置２がディスプレイ固定部材１３に対して左右方向に引きずられることがなく、ディスプレイ装置２がディスプレイ固定部材１３に対して回転中心Ｃ１を中心として左右方向にスムーズに回転することが可能である。
【００３１】
調整用螺子１４を回転させることによりディスプレイ装置２をディスプレイ固定部材１３に対して回転中心Ｃ１を中心として左右方向に回転させ、ディスプレイ装置２の左右の回転角度（傾斜角度）を所望の状態に調整した後、固定用螺子１５・１５・１５・１５をディスプレイ装置２のディスプレイ装置側固定用孔４１・４１・４１・４１に完全に螺装することにより、ディスプレイ装置２を前記ディスプレイ固定部材１３に固定した状態で支持する。より厳密には、ディスプレイ固定部材１３に対してディスプレイ装置２を左右方向に回転しない状態に固定した状態で支持する。
【００３２】
以上のように構成することにより、少ない部品点数、言い換えればディスプレイ固定部材１３及び調整用螺子１４のみにより、ディスプレイ装置２の左右の傾きの調整（傾斜角度の調整）が行える。
【００３３】
なお、柱部材１２は、本実施形態では中空の四角柱状部材で構成されているが、これに限定されるものでなく、例えば、円筒状部材で構成したり、中空の多角柱状部材で構成したりすることもできる。
また、柱部材１２をベース部材１１に対して直接固設することにより、相対回転不能に支持することも可能である。
【００３４】
なお、ディスプレイ支持装置１はディスプレイ固定部材１３を具備していれば、ベース部材１１及び柱部材１２を必ずしも具備する必要はなく、例えば、ディスプレイ固定部材１３を建物等の壁面に固定することによりディスプレイ支持装置１を壁掛けタイプに構成することも可能である。
【００３５】
また、固定用孔３１ａ・３１ｂ・３１ｃ・３１ｄの個数及び形成される場所は本実施形態に限定されるものではなく、例えば長方形状に構成されるディスプレイ固定部材１３の四辺各中央部に固定用孔３１ａ・３１ｂ・３１ｃ・３１ｄを形成する構成とすることもできる。
【００３６】
また、固定用孔３１のうちディスプレイ固定部材１３の左右方向において調整用孔３２が配置されない側の孔である固定用孔３１ｃ・３１ｄは、前記形状に限らず他の形状として形成することも可能である。
【００３７】
例えば、図８に示すように、調整用孔３２が配置されない側の二つの固定用孔３１ｃ・３１ｄのうち一方の固定用孔３１ｃについては、固定用螺子１５の直径と略同じ直径を有する円状に形成し、他方の固定用孔３１ｄについては、固定用孔３１ｃを中心とする円弧状の長孔として形成することもできる。
このように構成することにより、固定用孔３１ｃを回転中心Ｃ２として、ディスプレイ固定部材１３に対してディスプレイ装置２を左右方向に角度θ２だけ回転させることが可能であり、ひいてはディスプレイ装置２の左右の傾きの調整が行える。
【００３８】
また、二つの固定用孔３１ｃ・３１ｄについては、固定用螺子１５の直径よりも大きく、固定用螺子１５の頭部の直径よりも小さい直径を有する円形の孔に形成することもできる。
また、二つの固定用孔３１ｃ・３１ｄについては、いずれも当該固定用孔３１よりも調整用孔３２から遠い位置に想定された仮想的な回動中心を中心とする円弧状の長孔として形成することもできる。
【００３９】
なお、調整用螺子１４のカム部５２と頭部５３とを一体として構成することもできる。
また、調整用螺子１４のカム部５２は、軸部５１の軸線方向から見て円形に形成されているが、これに限定されるものではなく、例えば軸部５１の軸線方向から見て卵形や長円状に形成することも可能である。
また、頭部５３は、その頂面にネジ溝５３ａが形成されているが、調整用螺子１４に回転力を付与するための構造であればこれに限定するものではなく、例えば、頂面に六角形の六角レンチ孔を形成したり、頭部５３を六角形のボルトヘッドとして形成したり、頭部５３を人が把持できる形状（例えば、蝶ネジの頭部形状と同様の形状）に形成したりすることも可能である。
【００４０】
＜第二実施形態＞
また、図９から図１２に示すように、ディスプレイ固定部材１３及び調整用螺子１４の構成を他の構成とすることもできる。
ディスプレイ支持装置１は、計四つの固定用孔３１ａ・３１ｂ・３１ｃ・３１ｄ及び調整用孔３２が形成されたディスプレイ固定部材１３と、ディスプレイ固定部材１３に対する前記ディスプレイ装置２の左右の傾きを調整する調整用螺子１４と、を具備する。また、調整用螺子１４は、調整用孔３２に螺装されるとともにディスプレイ装置２に形成されたディスプレイ装置側調整用孔４２に回転可能に嵌装される。ディスプレイ支持装置１のその他の構成は、第一実施形態と同様であるので説明を省略する。
【００４１】
ディスプレイ固定部材１３は、図１０に示すように、左右方向に長い長方形状の金属板であり、柱部材１２の前面上部に溶接により固定される。ディスプレイ固定部材１３の左右端部はそれぞれ柱部材１２の左右側方に突出している。
また、ディスプレイ固定部材１３の左右方向中心線は柱部材１２の左右方向中心線と一致する。
【００４２】
ディスプレイ固定部材１３には、図１０に示すように、複数の固定用螺子１５を挿通するための複数の固定用孔３１ａ・３１ｂ・３１ｃ・３１ｄと、ディスプレイ固定部材１３に対するディスプレイ装置２の左右の傾きを調整するための調整用螺子１４を螺装するための調整用孔３２とが設けられている。
固定用孔３１ａ・３１ｂ・３１ｃ・３１ｄの構成は、第一実施形態と同様であるので説明を省略する。
【００４３】
次に、調整用孔３２について図１０から図１２を用いて説明する。
調整用孔３２はディスプレイ固定部材１３の左右中央部から左方にずれた位置に設けられている。
また、調整用孔３２は、調整用螺子１４のカム軸部６１の軸線方向から見た螺合部６２の直径と略同じ円状に形成しており、その内周面に螺合部６２と螺合するための雌ネジが設けられている。
【００４４】
本実施形態の調整用孔３２はディスプレイ固定部材１３の左右中央部から左方にずれた位置に設けられるが、本発明に係る調整用孔３２をディスプレイ固定部材１３の左右中央部に設けても良く、あるいはディスプレイ固定部材１３の左右中央部よりも右方にずれた位置に設けても良い。
ただし、ディスプレイ固定部材１３の左右方向の角度を微調整可能とする観点からは、調整用孔３２をディスプレイ固定部材１３の左右中央部に設けるよりもディスプレイ固定部材１３の左右中央部から左方または右方にずれた位置に設けることが望ましい。
【００４５】
次に調整用螺子１４について図９、図１１及び図１２を用いて説明する。
調整用螺子１４は、図９に示すように、カム軸部６１、螺合部６２および頭部６３を備える。
カム軸部６１は、略円柱形状の部材であり、ディスプレイ装置２に形成されたディスプレイ装置側調整用孔４２に回転（回動）可能に嵌装される。
螺合部６２はカム軸部６１に対して偏心した状態でカム軸部６１に延設される部材である。螺合部６２は概ね薄い円柱形状の部材であり、カム軸部６１の軸線方向から見た場合にカム軸部６１の直径よりも大きい直径を有する円形に形成されている。また、螺合部６２は外周面を有し、当該外周面には調整用孔３２に螺装されるための雄ネジが形成されている。
頭部６３は調整用螺子１４に回転力を付与するための部材であり、螺合部６２に延設される。頭部６３の頂面には、ドライバ等の工具を係合可能に挿入するためのネジ溝６３ａが形成されている。作業者がドライバ等の工具をネジ溝６３ａに挿入し、当該工具を回転させることにより、調整用螺子１４に回転力が付与されることとなる。
【００４６】
また、ディスプレイ装置側調整用孔４２は、図１１及び図１２に示すように、上下方向の幅が調整用螺子１４のカム軸部６１の軸線方向から見たカム軸部６１の直径と略同じであり、かつ左右方向の幅が調整用螺子１４のカム軸部６１の軸線方向から見たカム軸部６１の直径よりも大きい長孔として構成されている。
【００４７】
次に、調整用螺子１４及び調整用孔３２を使用するディスプレイ装置２の左右の傾きの調整方法について図１０から図１２を用いて説明する。
まず、固定用螺子１５・１５・１５・１５を固定用孔３１ａ・３１ｂ・３１ｃ・３１ｄへ挿入しディスプレイ装置２のディスプレイ装置側固定用孔４１・４１・４１・４１に一定深さまで螺装することにより仮止めを行う。
そして、調整用螺子１４のカム軸部６１をディスプレイ装置側調整用孔４２に回転（回動）可能に嵌装し、螺合部６２を調整用孔３２に螺装する。調整用螺子１４の螺合部６２は頭部６３に回転力が与えられることにより調整用孔３２へ螺装されるが、螺合部６２がカム軸部６１に対して偏心させて設けられているため、螺合部６２に対するカム軸部６１の位置が相対的に変化する。その結果、ディスプレイ装置２は、ディスプレイ装置２に螺装された固定用螺子１５・１５・１５・１５が固定用孔３１ａ・３１ｂ・３１ｃ・３１ｄに係合しつつ固定用孔３１ａ・３１ｂ・３１ｃ・３１ｄの長手方向に沿って移動することにより、ディスプレイ固定部材１３に対して回転中心Ｃ１（図１０参照）を中心として左右方向に回動する（右上がりまたは左上がりに傾斜する）。
図１０に示すように、本実施例においては、回転中心Ｃ１を中心に、調整用螺子１４のカム軸部６１が最も上に位置する状態から、最も下に位置する状態までの角度θ１が、ディスプレイ固定部材１３に対するディスプレイ装置２の相対的な変化量となる。
【００４８】
ディスプレイ固定部材１３に対するディスプレイ装置２の相対的な変化量が角度θ１となることから、固定用孔３１ａ・３１ｂ・３１ｃ・３１ｄは、上下方向の幅が少なくとも角度θ１の変化を許容できる幅以上に形成されている。言い換えれば、固定用孔３１ａ・３１ｂ・３１ｃ・３１ｄは、ディスプレイ装置２に螺装された固定用螺子１５・１５・１５・１５が固定用孔３１ａ・３１ｂ・３１ｃ・３１ｄの端面に干渉することによりディスプレイ装置２がディスプレイ固定部材１３に対して左右方向に角度θ１だけ回転することが妨げられない程度の幅を有する。
【００４９】
本実施形態ではディスプレイ固定部材１３の左右方向において調整用孔３２が配置される側の反対側（右側）に回転中心Ｃ１が設定されるので、ディスプレイ固定部材１３に対してディスプレイ装置２が回転したときにディスプレイ装置２に螺装された固定用螺子１５・１５・１５・１５が描く軌跡（回転中心Ｃ１を中心とする円弧状の軌跡）は、固定用孔３１ａ・３１ｂに挿入されているものの方が固定用孔３１ｃ・３１ｄに挿入されているものよりも長い。
従って、本実施形態では、固定用孔３１ａ・３１ｂの上下方向の幅は固定用孔３１ｃ・３１ｄの上下方向の幅よりも大きくなるように設定される。
【００５０】
また、ディスプレイ装置２に螺装された調整用螺子１４を回転させることにより螺合部６２がディスプレイ装置２に対して最も高い位置から低い位置まで移動する過程では、螺合部６２は調整用螺子１４のカム軸部６１に対して左右どちらかに突出した状態となるが、本実施形態ではディスプレイ装置側調整用孔４２が左右方向に延びた長孔である。より厳密には、ディスプレイ装置側調整用孔４２の左右方向の幅が調整用螺子１４のカム軸部６１の軸線方向から見た螺合部６２の直径よりも大きい長孔である。
そのため、螺合部６２の移動に伴ってディスプレイ装置２がディスプレイ固定部材１３に対して左右方向に引きずられることがなく、ディスプレイ装置２がディスプレイ固定部材１３に対して回転中心Ｃ１を中心として左右方向にスムーズに回転することが可能である。
【００５１】
調整用螺子１４を回転させることによりディスプレイ装置２をディスプレイ固定部材１３に対して回転中心Ｃ１を中心として左右方向に回転させ、ディスプレイ装置２の左右の回転角度（傾斜角度）を所望の状態に調整した後、固定用螺子１５・１５・１５・１５をディスプレイ装置２のディスプレイ装置側固定用孔４１・４１・４１・４１に完全に螺装することにより、ディスプレイ装置２を前記ディスプレイ固定部材１３に固定した状態で支持する。より厳密には、ディスプレイ固定部材１３に対してディスプレイ装置２を左右方向に回転しない状態に固定した状態で支持する。
【００５２】
以上のように構成することにより、少ない部品点数、言い換えればディスプレイ固定部材１３及び調整用螺子１４のみにより、ディスプレイ装置２の左右の傾きの調整が行える。
【００５３】
なお、調整用螺子１４の螺合部６２と頭部６３とを一体として構成することもできる。
また、調整用螺子１４の頭部６３は、その頂面にネジ溝６３ａが形成されているが、調整用螺子１４に回転力を付与するための構造であればこれに限定するものではなく、例えば、頂面に六角形の六角レンチ孔を形成したり、頭部６３を六角形のボルトヘッドとして形成したり、頭部６３を人が把持できる形状（例えば、蝶ネジの頭部形状と同様の形状）に形成したりすることも可能である。
【符号の説明】
【００５４】
１    ディスプレイ支持装置
２    ディスプレイ装置
１１    ベース部材
１２    柱部材
１３    ディスプレイ固定部材
１４    調整用螺子
１５    固定用螺子
３１    固定用孔
３２    調整用孔
４１    ディスプレイ装置側固定用孔
４２    ディスプレイ装置側調整用孔
５１    軸部
５２    カム部
５３    頭部
６１    カム軸部
６２    螺合部
６３    頭部
【図１】
2010243847.tif 000003
【図２】
2010243847.tif 000004
【図３】
2010243847.tif 000005
【図４】
2010243847.tif 000006
【図５】
2010243847.tif 000007
【図６】
2010243847.tif 000008
【図７】
2010243847.tif 000009
【図８】
2010243847.tif 000010
【図９】
2010243847.tif 000011
【図１０】
2010243847.tif 000012
【図１１】
2010243847.tif 000013
【図１２】
2010243847.tif 000014